(57)【要約】【課題】 故意または過失による不正行為を防止するため、粉末化粧料を収納した容器本体と開口を穿孔した透明の中皿とを具え、中皿の上部周縁に容器本体の口筒部に天面を覆うように係止されるバージンシール用のリングを取着した化粧料容器を提供すること。【解決手段】  容器本体と中皿、パッキンを装着したキャップとからなる化粧料容器であって、中皿が、中皿本体と、該中皿本体に切断可能な接続部を介して連設され、容器本体の口筒部天面を覆うバージンシール用リングとを具備していることを特徴とする。【選択図】  図１
2005103106.tif 000002
【特許請求の範囲】
【請求項１】
容器本体と中皿、パッキンを装着したキャップとからなる化粧料容器であって、
中皿が、中皿本体と、該中皿本体に切断可能な接続部を介して連設され、容器本体の口筒部天面を覆うバージンシール用リングとを具備していることを特徴とする化粧料容器。
【請求項２】
中皿が、透明であることを特徴とする請求項１記載の化粧料容器。
【請求項３】
容器本体の口筒部の内周に、一定の間隔をおいて複数の突条が配設され、中皿の外周面に、口筒部内周に設けた突条の間隔より短い長さとした突条が、上下に互い違いに配設されていることを特徴とする請求項１または２記載の化粧料容器。
【請求項４】
容器本体の内周面に、上下に一定間隔をおいて螺旋状に延びる凸部が配設され、
中皿の側周壁の周面にねじが螺設され、中皿の受け皿周縁部に操作部が設けられていることを特徴とする請求項１または２記載の化粧料容器。
【発明の詳細な説明】
【技術分野】
【０００１】
本発明は、化粧料容器、とくに化粧料としてパウダー等の粉末化粧料を収納する化粧料容器に関するものである。
【背景技術】
【０００２】
化粧料容器として、粉末化粧料を収容する有底筒状の化粧皿を具え、該化粧皿の上部開口部に、回転かつ上下動可能な切削皿を係合させ、切削皿を廻動させることにより、化粧料を削り出して粉体として、切削皿上に溜めるようにした化粧料容器は、従来より知られている（特許文献１参照）。  
【０００３】
【特許文献１】特開平１１−２２５８２２号公報
【発明の開示】
【発明が解決しようとする課題】
【０００４】
店頭での販売にあたって、従来は、見本となる化粧料容器のみを店頭に陳列して、顧客が自由に吟味して化粧料容器を選択し、店員から選択した化粧料容器を手渡してもらうようにしていた。
【０００５】
近年は、過剰包装をさけるため、化粧料容器自体の包装をなくすようにしたり、さらにまた、見本をなくして、陳列された商品を顧客が直接手に取り、キャップを開いてパフや化粧料の色など見て、化粧料容器を選択できるようにすることもおこなわれている。
【０００６】
しかしながら、従来の化粧料容器では、キャップを開いたとき、誤って容器を床等に取り落とすと、粉末化粧料を飛散させるおそれがあった。
また、いたずら心から故意に不正行為が行なわれるおそれもあった。
【０００７】
本発明は、上記の事情を考慮し、故意または過失による不正行為を防止するため、粉末化粧料を収納した容器本体と開口を穿孔した透明の中皿とを具え、中皿の上部周縁に容器本体の口筒部に天面を覆うように係止されるバージンシール用のリングを取着した化粧料容器を提供することを目的とする。
【課題を解決するための手段】
【０００８】
本発明は、上記の課題を解決するため、化粧料容器として、容器本体と中皿、パッキンを装着したキャップとからなる化粧料容器であって、中皿が、中皿本体と、該中皿本体に切断可能な接続部を介して連設され、容器本体の口筒部天面を覆うバージンシール用リングとを具備していることを特徴とする構成を採用し、また、中皿の実施例として、中皿が、透明であることを特徴とする構成を採用する。
【０００９】
容器本体と中皿の実施態様として、容器本体の口筒部の内周に、一定の間隔をおいて複数の突条が配設され、中皿の外周面に、口筒部内周に設けた突条の間隔より短い長さとした突条が、上下に互い違いに配設されていることを特徴とする構成を採用する。
【００１０】
容器本体の中皿の別実施態様として、容器本体の内周面に、上下に一定間隔をおいて螺旋状に延びる凸部が配設され、中皿の側周壁の周面にねじが螺設され、中皿の受け皿周縁部に操作部が設けられていることを特徴とする構成を採用する。
【発明の効果】
【００１１】
中皿に、切断可能な接続部を介してバージンシール用リングを装着し、容器口筒部を覆うようにしたので、キャップを取り外したときに、中皿を簡単に取り外すことができなくなった。
したがって、キャップを取り外した状態で、誤って化粧料容器を床等に取り落としても、粉末化粧料を飛散させるようなことはない。
また、中皿が透明であるので、キャップを開いただけで中皿を透して粉末化粧料の色合いなどを確認し、所望する化粧料容器を選択することができる。
【発明を実施するための最良の形態】
【００１２】
次に、本発明の粉末化粧料容器の実施形態について、実施例をあげ、図面を参照して説明する。
【実施例１】
【００１３】
図１において、Ａは粉末化粧料を収納する容器本体、Ｂはバージンシール用のリングを連設した中皿、Ｃはキャップ、Ｄはリング状のパッキン、Ｅはパフである。
容器本体Ａ、中皿Ｂ、キャップＣは、いずれもＰＥ、その他の合成樹脂をもって成形され、パッキンＤは、軟材質の合成樹脂等をもって成形されている。
【００１４】
図２に示すように、容器本体Ａは、側周壁１と底壁２とからなり、側周壁１の上部は縮径された口筒部３となっており、下端は底壁２の下方まで突出し、接地端４となっている。
口筒部３内周には、等間隔をおいて多数の水平方向に延びる突条５が突設されており、口筒部３の外周には、ねじ６が螺設されている。
【００１５】
容器本体Ａの内部には、粉末化粧料が充填され、容器本体Ａ自体が化粧皿となっている。
【００１６】
図３に示すように、中皿Ｂは、中皿本体Ｂ１と該中皿本体Ｂ１に連設されたバージンシール用のリングＢ２とからなり、透明または半透明の合成樹脂によって成形されている。
【００１７】
中皿本体Ｂ１は、側周壁１０と、上壁１１、該上壁１１に連設された受け皿１２とから構成されており、側周壁１０の外周には、口筒部３内周に設けられた隣合う突条５の間隔Ｌ（図２（ａ）参照）より短い長さの係止突条１３が、突条５に対応するように配設されている。
係止突条１３の下方には、係止突条１３とほぼ同一の形状と長さを有する突条１４が、係止突条１３の間に位置して互い違いとなるよう配設されている。
【００１８】
受け皿１２の上面には、粉末化粧料を排出する開口１５が設けられており、開口１５は、縦横にほぼ等間隔をおいて穿孔されている。
【００１９】
バージンシール用のリングＢ２は、図３（ｃ）に示すように、中皿本体Ｂ１の側周壁１０の上端と容易に切断可能な薄肉の接続部１６、または複数の連結片を介して連設され、口筒部３内周に接合する連結部１７と、該連結部１７の上部から外方に延び、口筒部３天面を覆う上壁１８とからなっている。
【００２０】
図４に示すように、キャップＣは側周壁２０と頂壁２１とからなり、側周壁２０の下端内周は拡径され、容器本体Ａの口筒部３のねじ６に螺合するねじ２２が螺設されている。
キャップＣの頂壁２１の下面には、保持リング２３が垂設されている。
【００２１】
パッキンＤは、キャップＣの頂壁２１下面に接して、側周壁２０内周面に保持されており、外筒２４と内筒２５、下壁２６、および外筒２４より下方に延びるように下壁２６より垂設された密封リング２７とから構成されている。
密封リング２７は、バージンシール用のリングＢ２の上壁１８に係合し、リングＢ２を切り離したときに、口筒部３天面を押圧するようになっている。
【００２２】
図１に示すように、前記中皿Ｂの受け皿１２上面には、開口１５を塞ぐフィルム２８が摘み部を残して貼着されており、その上にパフＥが載置されている。
【００２３】
次に、本化粧料容器の使用態様とその作用効果について説明する。
容器本体Ａには、ルースパウダー、汗取りパウダー等の粉末化粧料が所定の位置まで収納され、バージンシール用のリングＢ２を連接した中皿Ｂが被せられる。
【００２４】
その際、中皿Ｂを廻動して、下方の突条１４を口筒部３の突条５の間に位置させて、中皿Ｂを下降させると、係止突条１３が突条５の上面に係合し、下降が阻止される。
次いで、中皿Ｂをさらに廻動させて、係止突条１３を突条５の間に位置させて、突条５の下側まで押し下げると、中皿本体Ｂ１の受け皿１２下面は、粉末化粧料の上面に当接して、粉末化粧料はフィルム２８に接するまで開口１５内に入るようになっている。
そこで、中皿Ｂを再び廻動させ、図５（ａ）に示すように、係止突条１３が突条５の下側に係合するよう位置決めする。
【００２５】
次いで、中皿ＢにパフＥを載置し、図１に示すように、キャップＣを閉蓋して、市場に出荷される。
その際、パッキンＤは、キャップＣの側周壁２０内周に接合しており、密封リング２７は、バージンシール用のリングＢ２を押圧し、口筒部３とリングＢ２との間を密封するので、化粧料内の香料は外部に洩れることはなく、また外部から空気が入ったり、雑菌が侵入することもない。
【００２６】
店頭での陳列時には、キャップＣを開くだけでパフＥの状況、透明な中皿Ｂを透して粉末化粧料の色合いなどを確認できるので、所望する化粧料容器の選択が容易にできる。
また、中皿Ｂは、バージンシール用のリングＢ２を介して容器本体Ａに取着されているので、誤って中皿Ｂを取り外すことができなくなった。
そのことによって、化粧料容器を誤って床等に取り落としたときに、粉末化粧料が飛散することを防ぐことができるようになった。
【００２７】
化粧料容器の使用開始時には、図５（ａ）に示すようにキャップＣを開いて、バージンシール用のリングＢ２を上方に引き上げると、中皿本体Ｂ１は、係止突条１３が口筒部３の突条５に係止されているので、接続部１６が切断されてリングＢ２が取り外され、中皿本体Ｂ１は、自由に昇降可能となる。
中皿Ｂからフィルム２８を剥がし、パフＥを受け皿１２に押しつけると、化粧料をパフＥに付着させることができる。
【００２８】
図５（ｂ）に示すように、使用による化粧料の減少に応じて、中皿本体Ｂ１は、自重により自動的に下降し、受け皿１２下面は常に一定の重さをもって化粧料に圧接し、化粧料を開口１５周辺の受け皿１２上に送り出す。
次に、パフＥで受け皿１２を押さえると、化粧料が充分に付着され、所要箇所に塗布することができる。
【００２９】
化粧料の塗布が終わったときには、キャップを閉蓋しておくと、パッキンＤで容器内が密封されるので、香料等の洩れや、外気の侵入を遮断することができる。
【００３０】
また、中皿本体Ｂ１は、化粧料の減少とともに下降し、最終的には、底壁２上面に当接するので、化粧料を使い切ることができる。
【実施例２】
【００３１】
次に、中皿を廻動し、下降させるようにした第２実施例について説明する。
本実施例は、容器本体の内周に螺旋状の凸部を上下方向に下端に達するまで設け、中皿の周壁にねじを螺設したものである。
以下、相違点を中心に説明する。
図６において、Ａａは容器本体、Ｂａはバージンシール用のリングを連設した中皿、Ｃａはキャップ、Ｄａはリング状のパッキン、Ｅａはパフである。
【００３２】
図７に示すように、容器本体Ａａは、側周壁３０と底壁３１とを具え、側周壁３０の所定の位置からフランジ３２が連設され、フランジ３２の周縁から外筒３３が垂設されている。
外筒３３の下端内周には、周縁に嵌着筒３４を立設した底板３５が嵌着されている。
側周壁３０の内周には、上下方向に等間隔をおいて、螺旋状に延びる凸部３６、または凸条が突設されており、フランジ３２上方の側周壁３０の外周は縮径され、容器本体Ａａの口筒部３７を構成し、外周面にはねじ３８が螺設されている。
上記凸部３６に変え、ねじを螺設してもよい。
【００３３】
図８に示すように、中皿Ｂａは、中皿本体Ｂ１ａと、該中皿本体Ｂ１ａに連設されたバージンシール用のリングＢ２ａとからなり、中皿本体Ｂ１ａは、側周壁４０と上壁４１，および上壁４１に連設された受け皿４２とから構成され、側周壁４０の外周には、容器本体Ａａ内周の凸部３６と螺合するねじ４３が螺設されている。
【００３４】
受け皿４２の中央部には、縦横に等間隔に並列した開口４４が穿孔され、その上には、図６に示すように、フィルム４５が貼着されている。
周縁部には、中皿Ｂａを廻動するため、複数の操作部４６が設けられている。
操作部４６は、受け皿４２の湾曲面を上面とした一定巾の操作板４７と、その両側に設けられた凹部４８によって構成されている。
前記フィルム４５は、開口４４とともに、凹部４８の上面を覆うようにしている。
【００３５】
バージンシール用のリングＢ２ａは、中皿本体Ｂ１ａの側周壁４０の上端と容易に切断可能な薄肉の接続部４９、または複数の接続片を介して連設され、口筒部３７の内周に接合する連結部５０と、該連結部５０の上部から外方に延び、口筒部３７天面を覆う上壁５１とを具えており、上壁５１の内周上端には、摘み５２が連設されている。
【００３６】
図６に示すように、キャップＣａ、パッキンＤａ、パフＥａは、前記第１実施例と同一であるので、説明を省略する。
【００３７】
次に、本第２実施例の使用態様とその作用効果について説明する。
本実施例の化粧料容器の容器本体Ａａにも、前記第１実施例と同様の内容物が所定位置まで収納される。
次いで、中皿Ｂａを被せ、操作板４７を摘んで回転させ、中皿Ｂａをバージンシール用のリングＢ２ａの上壁５１が口筒部３７の天面に接合するまで下降させる。
次いで、上壁５１と口筒部３７の天面を分離可能に溶着、または接着する。
そのときには、中皿Ｂａの受け皿４２下面が化粧料の上面に当接し、開口４４を通じて化粧料がフィルム４５に接するまで入り込み、開口４４内を充たすようになっている。
【００３８】
次に、キャップＣａを閉蓋すると、前記第１実施例と同様に、リング状のパッキンＤａによってバージンシール用のリングＢ２ａの上壁５１が押圧され、容器内部が密封され、化粧料内の香料が洩れ出したり、大気が侵入して雑菌等が入ることもない。
【００３９】
店頭での陳列時には、第１実施例と同様に、キャップＣａを開くだけで、パフＥａの状況、透明な中皿Ｂａを透して粉末化粧料の色合いなどを確認できるので、所望する化粧料容器の選択が容易にできる。
また、中皿Ｂａは、バージンシール用のリングＢ２ａを介して容器本体Ａａに取着されているので、誤って中皿Ｂａを取り外すことができなくなった。  
そのことによって、化粧料容器を床等に取り落としたときに、粉末化粧料が飛散することを防ぐことができるようになった。
【００４０】
化粧料容器の使用開始時には、まず、キャップＣａを開いて、図９（ａ）に示すように、バージンシール用のリングＢ２ａの摘み５２を摘んで上方に引き上げると、中皿本体Ｂ１ａは、ねじ４３と凸部３６との螺合により上昇しないので、接続部４９が切断され、リングＢ２ａを取り外すことができる。
次に、受け皿４２からフィルム４５を剥がし、開口４４を開くと、開口４４内の化粧料をパフＥａに付着させることができる。
【００４１】
化粧料の塗布中に、開口４４内の化粧料がなくなると、操作板４７を摘んで中皿本体Ｂ１ａを時計方向に廻動させると、図９（ｂ）に示すように、容器本体Ａａの凸部３６に中皿本体Ｂ１ａのねじ４３が螺合して中皿本体Ｂ１ａが下降し、化粧料を開口４４を通じて開口４４周辺の受け皿４２上面に送り出すことができる。
【００４２】
塗布が終わったとき、パフＥａをおき、キャップＣａを閉じておくと、リング状のパッキンＤａが容器内部を密封するので、香料等が洩れたり、大気が侵入して雑菌等が入ることもない。
また、前記第１実施例と同様に、中皿本体Ｂ１ａを容器本体Ａａの底壁３１に当接するまで下降させることができ、化粧料を使い切ることができる。
【産業上の利用可能性】
【００４３】
バージンシール用のリングを中皿本体に取着し、リングで容器本体の口筒部を覆うようにしたから、化粧料容器のバージン性を保障できるようになり、粉末化粧料等の化粧料を入れた化粧料容器、化粧料に香料を入れた化粧料容器、さらに、化粧料容器だけでなく、粉末状の食品、薬品等の収納容器にも利用できる。
【図面の簡単な説明】
【００４４】
【図１】本発明第１実施例の化粧料容器の断面立面図である。
【図２】容器本体の説明図で、（ａ）は上面図、（ｂ）は一部断面立面図である。
【図３】中皿の説明図で、（ａ）は上面図、（ｂ）は一部断面立面図、（ｃ）は要部拡大図である。
【図４】リング状パッキンを装着したキャップの断面立面図である。
【図５】化粧料容器の使用態様を説明する説明図で、（ａ）はキャップを取り外した使用開始前、（ｂ）は使用途中の状態を示す断面図である。
【図６】第２実施例の化粧料容器の断面立面図である。
【図７】容器本体の断面側面図である。
【図８】中皿の説明図で、（ａ）は上面図、（ｂ）は一部断面立面図、（ｃ）は要部拡大図である。
【図９】化粧料容器の使用態様を説明する説明図で、（ａ）はキャップを取り外した使用開始前、（ｂ）は使用途中の状態を示す断面図である。
【符号の説明】
【００４５】
Ａ、Ａａ      容器本体
Ｂ、Ｂａ      中皿
Ｂ１、Ｂ１ａ  中皿本体
Ｂ２、Ｂ２ａ  リング
Ｃ、Ｃａ      キャップ
Ｄ、Ｄａ      パッキン
Ｅ、Ｅａ      パフ
１、３０      側周壁
２、３１      底壁
３、３７      口筒部
４            接地端
５            突条
６、３８      ねじ
１０、４０    側周壁
１１、４１    上壁
１２、４２    受け皿
１３          係止突条
１４          突条
１５、４４    開口
１６、４９    接続部
１７、５０    連結部
１８、５１    上壁
２０          側周壁
２１          頂壁
２２          ねじ
２３          保持リング
２４          外筒
２５          内筒
２６          下壁
２７          密封リング
２８、４５    フィルム
３２          フランジ
３３          外筒
３４          嵌着筒
３５          底板
３６          凸部
４３          ねじ
４６          操作部
４７          操作板
４８          凹部
５２          摘み
【図１】
2005103106.tif 000003
【図２】
2005103106.tif 000004
【図３】
2005103106.tif 000005
【図４】
2005103106.tif 000006
【図５】
2005103106.tif 000007
【図６】
2005103106.tif 000008
【図７】
2005103106.tif 000009
【図８】
2005103106.tif 000010
【図９】
2005103106.tif 000011